(57)【要約】【課題】  ＡＴＭスイッチ装置やパケットスイッチ装置において、制御系統の簡略化及び耐障害性の向上と、待機系スイッチの正常性確認を行う。【解決手段】  受信したデータのスイッチングを行うスイッチ部（１２，１３）と、スイッチ部（１２，１３）とデータの送受信を行うスイッチ配下装置部（２０）と、スイッチ部（１２，１３）及びスイッチ配下装置部（２０）を制御するスイッチ制御部（１１）を有するスイッチ装置であって、スイッチ制御部（１１）とスイッチ部（１２，１３）、及びスイッチ部（１２，１３）とスイッチ配下装置部（２０）が、それぞれ直接接続され、スイッチ制御部（１１）が、ユーザデータの形態で制御データをスイッチ部（１２，１３）に送信することを特徴とするスイッチ装置。【選択図】      図１
2005094506.tif 000002
【特許請求の範囲】
【請求項１】
受信したデータのスイッチングを行うスイッチ部と、前記スイッチ部とデータの送受信を行うスイッチ配下装置部と、前記スイッチ部及び前記スイッチ配下装置部を制御するスイッチ制御部を有するスイッチ装置であって、
前記スイッチ制御部と前記スイッチ部、及び前記スイッチ部と前記スイッチ配下装置部が、それぞれ直接接続され、
前記スイッチ制御部が、ユーザデータの形態で制御データを前記スイッチ部に送信する
ことを特徴とするスイッチ装置。
【請求項２】
前記スイッチ部が、通常使用される現用系スイッチ部と、前記現用系スイッチ部が使用できない場合に使用される待機系スイッチ部を備え、
前記スイッチ制御部が、前記待機系スイッチ部にユーザデータの形態で制御データを送信することにより、当該待機系スイッチ部の正常性確認を行う
ことを特徴とする請求項１記載のスイッチ装置。
【請求項３】
前記スイッチ配下装置部が、外部回線を介して一又は二以上の外部装置と通信する回線終端装置と、種々の応用処理を実行する応用処理装置とを備え、
前記回線終端装置及び前記応用処理装置が、それぞれ前記スイッチ部に直接接続された
ことを特徴とする請求項１又は２記載のスイッチ装置。
【請求項４】
前記スイッチ制御部が、ユーザデータの形態の制御データを作成することを特徴とする請求項１〜３のいずれかに記載のスイッチ装置。
【請求項５】
請求項１〜４のいずれかに記載のスイッチ装置が、前記外部装置から、ユーザデータの形態に作成された制御データを受信することを特徴とするスイッチ装置。
【請求項６】
受信したデータのスイッチングを行うスイッチ部と、前記スイッチ部と直接接続され、前記スイッチ部とデータの送受信を行うスイッチ配下装置部と、前記スイッチ部と直接接続され、前記スイッチ部及び前記スイッチ配下装置部を制御するスイッチ制御部を有するスイッチ装置における配下装置制御方法であって、
前記スイッチ制御部が、ユーザデータの形態で制御データを、前記スイッチ部を介して前記スイッチ配下装置部に送信する
ことを特徴とするスイッチ装置における配下装置制御方法。
【請求項７】
前記スイッチ部が、通常使用される現用系スイッチ部と、前記現用系スイッチ部が使用できない場合に使用される待機系スイッチ部を備え、
前記スイッチ制御部が、前記待機系スイッチ部にユーザデータの形態で制御データを送信することにより、当該待機系スイッチ部の正常性確認を行う
ことを特徴とする請求項６記載のスイッチ装置における配下装置制御方法。
【請求項８】
前記スイッチ制御部が、ユーザデータの形態の制御データを作成することを特徴とする請求項６又は７記載のスイッチ装置における配下装置制御方法。
【発明の詳細な説明】
【技術分野】
【０００１】
本発明は、ＡＴＭスイッチ装置やパケットスイッチ装置において、スイッチ装置全体を制御する装置とスイッチ配下装置間の制御信号を、ＡＴＭセルやパケットの形態で送受信させることで、制御系統の簡略化及び耐障害性の向上と待機系スイッチの正常性確認を行うスイッチ装置、及びスイッチ装置における配下装置制御方法に関する。
【背景技術】
【０００２】
従来のスイッチ装置について図４を参照して説明する。
図４は、従来のスイッチ装置の原理的な構成を示すものである。同図に示すように、従来のスイッチ装置１０１は、スイッチ主装置部１１０を構成するスイッチ制御部１１１、現用系スイッチ部１１２、及び待機系スイッチ部１１３と、スイッチ配下装置部１２０を構成する回線終端装置１２１及びセル・パケット応用処理装置１２２、並びに制御バス２００を有している。
スイッチ制御部１１１は、各スイッチ部と配下装置を制御する。
現用系スイッチ部１１２は、ＡＴＭセルやＩＰパケットに代表されるユーザデータをスイッチングする。待機系スイッチ部１１３は、現用系スイッチ部が使用できない場合に使用されるスイッチ部である。
スイッチ配下装置部１２０は、外部回線１３０により装置の外部と通信を行うための回線終端装置１２１や、データ変換などの応用的処理機能を持つセル・パケット応用処理装置１２２などの個別機能部から構成されている。
スイッチ装置内の各部は制御バス２００により接続されており、スイッチ制御部１１１からの指令は、制御バス２００を通って装置内各部に送信される。
【０００３】
また、特許文献１には、多重回線を収容する複数の回線装置が接続されたハイウェイを収容したスイッチ部と制御装置とからなる交換機において、制御装置と配下装置間の制御信号，状態表示信号の伝達を高速に行い、ＤＭＡ転送も効率的に行う交換機内の制御データ転送方式が開示されている。
【０００４】
【特許文献１】特開平１１−１６４３３７号公報
【発明の開示】
【発明が解決しようとする課題】
【０００５】
しかしながら、図４に示すような従来のスイッチ装置の構成では、装置内の各部はユーザデータの処理機能の他に制御バス２００による制御データの送受信機能を備える必要があり、これが装置の複雑化につながっているという問題があった。また、制御バス２００は装置内の全ての部分で共有されているため、特にこの制御バス２００に関連する部位が故障した場合、その故障が装置の一部分のみであっても、装置内の全ての部分に影響が及び、装置全体が動作しなくなってしまうという恐れがあった。
さらに、スイッチ部は二重化構成になっているが、待機系スイッチ部１１３は通常全くスイッチング動作を行っておらず、待機系スイッチ部１１３に故障が発生した場合であっても、現用系スイッチ部１１２の故障や切り替え操作を行って、待機系スイッチ部１１３に切り替えてみるまでは待機系スイッチ部１１３の故障が検出できず、待機系スイッチ部１１３が必要なときに使用できない場合があるという問題もあった。
【０００６】
また、特許文献１に記載の発明では、装置内の制御信号を最初から最後まで制御信号専用の信号経路を通すことで、配下装置と通信すると考えられるが、この場合には制御信号の専用ルートを用意する必要があるとともに、ユーザデータが流れていないような状態では、スイッチ部の正常性を確認することができないという問題があった。
【０００７】
本発明は、上記の事情にかんがみなされたものであり、ＡＴＭスイッチ装置やパケットスイッチ装置において、スイッチ装置全体を制御する装置とスイッチ配下装置間の制御信号を、ＡＴＭセルやＩＰパケットなどのユーザデータの形態で送受信させることで、制御系統の簡略化及び耐障害性の向上と待機系スイッチの正常性確認を行うことを可能にしたスイッチ装置、及びスイッチ装置における配下装置制御方法の提供を目的とする。
【課題を解決するための手段】
【０００８】
上記目的を達成するため、本発明のスイッチ装置は、受信したデータのスイッチングを行うスイッチ部と、スイッチ部とデータの送受信を行うスイッチ配下装置部と、スイッチ部及びスイッチ配下装置部を制御するスイッチ制御部を有するスイッチ装置であって、スイッチ制御部とスイッチ部、及びスイッチ部とスイッチ配下装置部が、それぞれ直接接続され、スイッチ制御部が、ユーザデータの形態で制御データをスイッチ部に送信する構成としてある。
【０００９】
スイッチ装置をこのような構成にすれば、制御データを、ユーザデータと同様の形態で通信することができるため、従来使用されていた制御バスなどの手段を用いることなく配下装置の制御を行うことが可能となる。その結果、スイッチ装置の簡略化を図ることができるとともに、制御バスのような複数装置で共用される回路を省くことで、耐障害性を向上させることが可能となる。
なお、「ユーザデータの形態」とは、例えば、ＡＴＭセルやＩＰパケットに代表されるユーザデータのフォーマットを意味している。
【００１０】
本発明のスイッチ装置は、スイッチ部が、通常使用される現用系スイッチ部と、現用系スイッチ部が使用できない場合に使用される待機系スイッチ部を備え、スイッチ制御部が、待機系スイッチ部にユーザデータの形態で制御データを送信することにより、当該待機系スイッチ部の正常性確認を行う構成としてある。
【００１１】
スイッチ装置をこのような構成にすれば、制御データをユーザデータの形態で、待機系スイッチ部へ送信し、通常使用されていない待機系スイッチ部のスイッチング機能の正常性を、ユーザデータが流れていないような状態でも常時確認することが可能となる。
【００１２】
本発明のスイッチ装置は、スイッチ配下装置部が、外部回線を介して一又は二以上の外部装置と通信する回線終端装置と、種々の応用処理を実行する応用処理装置とを備え、回線終端装置及び応用処理装置が、それぞれスイッチ部に直接接続された構成としてある。
【００１３】
スイッチ装置をこのような構成にすれば、回線終端装置又はセル・パケット応用処理装置は、スイッチ部からデータを直接受信して、それぞれの処理を実行することが可能となる。
このため、従来使用されていた制御バスを省略し、スイッチ装置の耐障害性を向上させることが可能となる。
【００１４】
本発明のスイッチ装置は、スイッチ制御部が、ユーザデータの形態の制御データを作成する構成としてある。
スイッチ装置をこのような構成にすれば、スイッチ制御部が、制御データとして、ユーザデータの形態のデータを作成し、これを用いてスイッチ部やスイッチ配下装置部を制御することが可能となる。
【００１５】
本発明のスイッチ装置は、外部装置から、ユーザデータの形態に作成された制御データを受信する構成としてある。
スイッチ装置をこのような構成にすれば、例えば、スイッチ装置が交換機内の一部の装置として用いられているような場合に、より上位の制御装置などからユーザデータの形態に作成された制御データを受信して、その制御データによる指令をスイッチ装置内で処理することが可能となる。
【００１６】
本発明のスイッチ装置における配下装置制御方法は、受信したデータのスイッチングを行うスイッチ部と、スイッチ部と直接接続され、スイッチ部とデータの送受信を行うスイッチ配下装置部と、スイッチ部と直接接続され、スイッチ部及びスイッチ配下装置部を制御するスイッチ制御部を有するスイッチ装置における配下装置制御方法であって、スイッチ制御部が、ユーザデータの形態で制御データを、スイッチ部を介してスイッチ配下装置部に送信する方法としてある。
【００１７】
スイッチ装置における配下装置制御方法をこのような方法にすれば、ユーザデータと同様の形態の制御データを用いることができるため、従来使用されていた制御バスなどの手段を用いることなく配下装置の制御を行うことが可能となり、スイッチ装置の簡略化及び耐障害性の向上を図ることが可能となる。
【００１８】
本発明のスイッチ装置における配下装置制御方法は、スイッチ部が、通常使用される現用系スイッチ部と、現用系スイッチ部が使用できない場合に使用される待機系スイッチ部を備え、スイッチ制御部が、待機系スイッチ部にユーザデータの形態で制御データを送信することにより、当該待機系スイッチ部の正常性確認を行う方法としてある。
【００１９】
スイッチ装置における配下装置制御方法をこのような方法にすれば、ユーザデータの形態の制御データ用いて、通常使用されていない待機系スイッチ部のスイッチング機能の正常性を、ユーザデータが流れていないような状態でも常時確認することが可能となる。
【００２０】
本発明のスイッチ装置における配下装置制御方法は、スイッチ制御部が、ユーザデータの形態の制御データを作成する方法としてある。
スイッチ装置における配下装置制御方法をこのような方法にすれば、スイッチ制御部で作成されたユーザデータの形態の制御データをスイッチ装置内で使用することが可能となる。
【発明の効果】
【００２１】
本発明によれば、スイッチ装置において、制御データをユーザデータと同様の形態で通信することにより、従来使用されていた制御バスなどの手段を用いることなく配下装置の制御が可能となり、スイッチ装置の簡略化を図ることができる。
また、制御バスのような複数装置で共用される回路を省くことで、共用部分の送受信回路の故障などによる一部の装置の故障がスイッチ装置全体へ波及してしまう可能性を減少させることで、耐障害性を向上させることができる。
加えて、本発明では、制御データを現用系スイッチ部だけではなく、待機系スイッチ部を経由させて通信させることにより、通常使用されていない待機系スイッチ部のスイッチング機能の正常性を、ユーザデータが流れていないような状態でも常時確認することが可能となる。
【発明を実施するための最良の形態】
【００２２】
以下、本発明の実施形態につき、図面を参照して説明する。
まず、本発明の実施形態の構成について、図１を参照して説明する。同図は、本実施形態のスイッチ装置の構成を示すブロック図である。
図１に示すように、本実施形態のスイッチ装置１は、スイッチ主装置部１０、及びスイッチ配下装置部２０を有している。
【００２３】
スイッチ主装置部１０は、スイッチ制御部１１と、現用系スイッチ部１２及び待機系スイッチ部１３により構成されるスイッチ部とから構成される。
スイッチ制御部１１は、現用系スイッチ部１２及び待機系スイッチ部１３と接続されており、ＡＴＭセルやＩＰパケットに代表されるユーザデータと同様の形態の制御データを送受信する。
【００２４】
制御データとしては、例えば、以下のようなものを挙げることができる。
（１）装置の正常性確認の制御を行わせるためのデータ
返答を返す指示を出し、返答を監視することで、返答がなければ装置の異常として検出するためのもの。
（２）装置自体の制御を行わせるためのデータ
システムへ組み込んだ場合に、動作を開始させる指示や異常の監視などを行うためのもの。
（３）回線の制御
回線の状態を変更したり、現在の状態を制御装置へ報告させるためのもの。
（４）接続の制御
装置で処理するユーザデータの接続情報（ＡＴＭであればＶＰやＶＣ、ＩＰであればルーチング情報等）の接続・切断や変更を行わせるためのもの。
【００２５】
スイッチ部は、受信したデータのスイッチングを行う装置であり、現用系スイッチ部１２と待機系スイッチ部１３による二重化の冗長構成になっている。通常時は現用系スイッチ部１２が転送動作を行い、現用系スイッチ部１２に障害が生じた場合は、待機系スイッチ部１３がスイッチ機能を引き継ぐ。
【００２６】
スイッチ配下装置部２０は、回線終端装置２１，セル・パケット応用処理装置２２などの個別機能部から構成される。
回線終端装置２１は、装置外部と通信するための一又は二以上の外線回線３０を接続する。そして、この外線回線３０を介して、一又は二以上の外部装置（他の通信機器）と相互に通信を行う。
また、回線終端装置２１及びセル・パケット応用処理装置２２は、共に現用系スイッチ部１２及び待機系スイッチ部１３と接続されており、データの送受信を行う。
【００２７】
このように、本実施形態のスイッチ装置は、従来のような制御バスを用いることなく、スイッチ制御部１１は、現用系スイッチ部１２及び待機系スイッチ部１３に直接接続され、現用系スイッチ部１２及び待機系スイッチ部１３は、回線終端装置２１及びセル・パケット応用処理装置２２にそれぞれ直接接続されて、データの送受信を行うことが可能となっている。
【００２８】
次に、図１を参照して、本実施形態のスイッチ装置における各部の動作について説明する。
スイッチ制御部１１は、現用系スイッチ部１２，待機系スイッチ部１３により構成されるスイッチ部と、回線終端装置２１，セル・パケット応用処理装置２２などの配下装置の制御を行う。
このスイッチ制御部１１は、配下装置で処理されるユーザデータと同じ形態のセルやパケットを送受信する機能を備えており、現用系スイッチ部１２，待機系スイッチ部１３と制御データを送受信する。このとき、制御データをユーザデータの形態に作成して、各スイッチ部に送信することができる。
このように、現用系スイッチ部１２のみならず、待機系スイッチ部１３と制御データを送受信することによって、待機系スイッチ部１３にユーザデータを送受信させることなく待機系スイッチ部１３の正常性を確認することが可能となる。また、制御データを現用系スイッチ部１２又は待機系スイッチ部１３でスイッチングさせることにより、配下装置と制御データを送受信することもできる。
【００２９】
現用系スイッチ部１２，待機系スイッチ部１３は、配下装置から送信されるＡＴＭセルやＩＰパケットなどに代表されるユーザデータを受信し、その内容によって任意の配下装置に再送信することでセルやパケットの転送動作を行う。
また、現用系スイッチ部１２，待機系スイッチ部１３は、二重化による冗長構成をとっているが、待機系スイッチ部１３であっても、通常時に機能を完全に停止するのではなく、スイッチ制御部１１から送信される制御データを受信したり、回線終端装置２１，セル・パケット応用処理装置２２へ転送する機能が常時動作している。
【００３０】
回線終端装置２１は、外部装置から受信したユーザデータを現用系スイッチ部１２，待機系スイッチ部１３へ送信したり、現用系スイッチ部１２，待機系スイッチ部１３から受信したユーザデータを外部装置へ送信する。
セル・パケット応用処理装置２２は、現用系スイッチ部１２，待機系スイッチ部１３から受信したユーザデータに、各種応用的な処理を施し、その結果を現用系スイッチ部１２，待機系スイッチ部１３へ送信する。
【００３１】
このセル・パケット応用処理装置２２により実行される各種応用的な処理としては、例えば、以下のものを挙げることができる。もちろん、これらに限定するものではない。
（１）データのプロトコル変換
例えば、ＶｏＩＰのプロトコルゲートウェイなどにおけるものと同様のＨ．３２３とＳＩＰの相互変換。
（２）データのフォーマット変換
例えば、ＡＡＬのタイプ変換（ＡＡＬ１からＡＡＬ５への変換など）。
（３）データの加工
例えば、電話会議システム等で用いられる多地点からのデータの合成。
（４）サーバとしての動作
例えば、ＤＨＣＰサーバ等におけるのような、スイッチ装置に接続される端末へのサービスの提供。
【００３２】
これらの現用系スイッチ部１２，待機系スイッチ部１３，回線終端装置２１，セル・パケット応用処理装置２２は、受信したセルやパケットを、処理すべきユーザデータと、スイッチ制御部１１又は外線回線３０から送信された制御データに識別・分離する機能を持ち、制御データを受信した場合は、制御データの内容を解析して、その命令を実行する。
このユーザデータと制御データの識別は、これらのデータのヘッダ部分やペイロード部分に識別コードなどをもたせることによって行うことができる。
例えば、ＡＴＭであればＶＰＩ／ＶＣＩに識別ビットをもたせるようにすることができる。また、ＩＰであればＩＰアドレスで識別することなどもできる。さらに、スイッチ装置内で内部処理用に別ヘッダをつけて処理するような方式の場合は、この装置内ヘッダに情報を載せることにより識別することも可能である。
【００３３】
次に、各スイッチ部１２，１３、回線終端装置２１、セル・パケット応用処理装置２２において、ユーザデータと制御データの識別が行われた後に、それぞれの装置において行われる処理について説明する。以下、各装置ごとに、制御データ及びユーザデータのそれぞれに関して説明する。
（１）現用系スイッチ部１２  制御データ
送られてきた命令の内容を判断し、実行する。必要に応じて制御部へ結果を返答する。
（２）現用系スイッチ部１２  ユーザデータ
通常のスイッチング動作を行う。すなわち、ヘッダの情報などから入ってきたユーザデータの転送先を判別し、該当する配下装置（回線終端装置２１、セル・パケット応用処理装置２２など）へ転送する。
【００３４】
（３）待機系スイッチ部１３  制御データ
現用系スイッチ部１２における場合と同様に、送られてきた命令の内容を判断し、実行する。必要に応じて制御部へ結果を返答する。
（４）待機系スイッチ部１３  ユーザデータ
待機系スイッチ部１３にはユーザデータは流れない。すなわち、現用系の切り替え（保守のための切り替え、又は現用系の障害による切り替え等）が発生し、自分が現用系になるまではユーザデータの転送動作は行わない。
【００３５】
（５）回線終端装置２１  制御データ
送られてきた命令の内容を判断し、実行する。必要に応じて制御部へ結果を返答する。
（６）回線終端装置２１  ユーザデータ
スイッチ部から送られてきたデータの場合は、ヘッダ操作（ヘッダ内容の書き換えや、装置内で内部使用するヘッダの付加など）やトラヒック制御（トラヒックシェーピング、ＱｏＳ制御など）を行って装置外部へと送信する。
装置外部から送られてきたデータの場合、ヘッダ操作やトラヒック制御を行い、スイッチ部へデータを送信する。
【００３６】
（７）セル・パケット応用処理装置２２  制御データ
送られてきた命令の内容を判断し、実行する。必要に応じて制御部へ結果を返答する。
（８）セル・パケット応用処理装置２２  ユーザデータ
送られてきたユーザデータに対して、上述のような各種応用処理を施し、スイッチ部へ送り返す。
【００３７】
次に、図２及び図３を参照して、本実施形態のスイッチ装置にデータが流れる経路について説明する。
はじめに、図２を参照して、ユーザデータがスイッチ装置内を通過する経路について説明する。
同図に破線で示した経路Ｒ１は、ユーザデータが本装置内を通過する経路の一例を示すものである。
【００３８】
ユーザデータは、外部回線を介して回線終端装置２１で受信され、現用系スイッチ部１２によりセル・パケット応用処理装置２２へ転送される。
セル・パケット応用処理装置２２では、データ変換などの応用処理が施され、再度現用系スイッチ部１２に送信されて、回線終端装置２１へ転送される。
回線終端装置２１では、受信したデータが外部回線へ送信される。
【００３９】
次に、図３を参照して、制御データがスイッチ装置内を通過する経路について説明する。
同図に荒い破線で示した経路Ｒ２は、スイッチ制御部１１が回線終端装置２１を制御する場合の制御データが通過する経路の一例を示すものである。
スイッチ制御部１１から送信された制御データは、現用系スイッチ部１２で受信される。
この制御データは、ユーザデータと同じ形態（ＡＴＭセルやＩＰパケットのなどの形態）をしており、ユーザデータと同様に回線終端装置２１に転送される。
【００４０】
回線終端装置２１は、ユーザデータと制御データを識別・分離する機能を持っているため、制御データは、識別・分離されて内容が解析され、指令が実行される。
回線終端装置２１からはスイッチ制御部１１に向けて、制御データへの応答や指令の実行結果などを含む制御データが送信され、前述とは逆の経路をたどってスイッチ制御部１１へ到達する。
【００４１】
一方、図３に細かい破線で示した経路Ｒ３は、スイッチ制御部１１から回線終端装置２１に待機系スイッチ部１３を経由して到達する制御データの経路を示すものである。
Ｒ３の経路は、上述の経路Ｒ２と、待機系スイッチ部１３を経由する部分が異なっている。このように待機系スイッチ部１３を経由して制御データを送受信することにより、待機系スイッチ部１３の正常性を確認することができる。
【００４２】
以上説明したように、本実施形態のスイッチ装置によれば、ユーザデータと同様の形態の制御データをスイッチ制御部から送受信することで、従来使用されていた制御バスなどの手段を用いることなく配下装置の制御が可能となり、スイッチ装置の簡略化を図るとともに、制御バスの故障によりスイッチ装置全体が使用できなくなる可能性を排除することができるため、耐障害性を向上させることが可能となっている。
また、制御データを現用系スイッチ部だけではなく、待機系スイッチ部を経由させて通信させることにより、通常使用されていない待機系スイッチ部のスイッチング機能の正常性を、ユーザデータが流れていないような状態でも常時確認することが可能となっている。
【００４３】
なお、本発明は以上の実施形態に限定されるものではなく、本発明の範囲内において、種々の変更実施が可能であることは言うまでもない。
例えば、上記実施形態では、スイッチ装置において回線終端装置２１やセル・パケット応用処理装置２２をそれぞれ一ずつ搭載した図を用いて説明しているが、それぞれ二以上設置したり、冗長構成を取っても良いことはいうまでもない。また、スイッチ部の個数を二以上とすることもできる。
これによって、配下装置の信頼性を向上させたり、スイッチ装置の処理能力を増大させることが可能となる。
【００４４】
また、上記実施形態では、全ての制御がスイッチ制御部１１から行われるように説明したが、交換機のようにスイッチ装置がシステムの一部として利用されるような大規模なシステムにおいては、システム全体の制御を行うより上位の制御装置からスイッチ装置の制御を行うようにすることも好ましい。すなわち、このような上位の制御装置からの指令を有する、ユーザデータの形態に作成された制御データについて、上記実施形態における方法と同様の方法により、スイッチ制御部１１や配下装置等において処理する構成とすることも好ましい。このように本発明の配下制御方法を用いて多数のスイッチ装置を制御することにより、システムの拡張性を向上させることも可能である。
【産業上の利用可能性】
【００４５】
ＡＴＭスイッチ装置やパケットスイッチ装置において、その制御系統を簡略化する用途に好適に利用することが可能である。また、これらの装置の耐障害性を向上させる用途、及び待機系スイッチの正常性確認を、ユーザデータが全く導通しない場合や、低トラフィックの場合でも確認可能とする用途に好適に利用することが可能である。
【図面の簡単な説明】
【００４６】
【図１】本発明の実施形態のスイッチ装置の構成を示すブロック図である。
【図２】本発明の実施形態のスイッチ装置におけるユーザデータの流れ示す図である。
【図３】本発明の実施形態のスイッチ装置における制御データの流れ示す図である。
【図４】従来の実施形態のスイッチ装置の構成を示すブロック図である。
【符号の説明】
【００４７】
１  スイッチ装置
１０  スイッチ主装置部
１１  スイッチ制御部
１２  現用系スイッチ部
１３  待機系スイッチ部
２０  スイッチ配下装置部
２１  回線終端装置
２２  セル・パケット応用処理装置
３０  外部回線
１０１  スイッチ装置
１１０  スイッチ主装置部
１１１  スイッチ制御部
１１２  現用系スイッチ部
１１３  待機系スイッチ部
１２０  スイッチ配下装置部
１２１  回線終端装置
１２２  セル・パケット応用処理装置
１３０  外部回線
２００  制御バス
Ｒ１  ユーザデータがスイッチ装置内を通過する経路
Ｒ２  スイッチ制御部が回線終端装置を制御する場合の制御データが通過する経路
Ｒ３  スイッチ制御部から回線終端装置に待機系スイッチ部を経由して到達する制御データの経路
【図１】
2005094506.tif 000003
【図２】
2005094506.tif 000004
【図３】
2005094506.tif 000005
【図４】
2005094506.tif 000006